(57)【要約】【課題】建物出入口を開閉する扉に取り付けた履物用庇によって、出入口の屋外側に置いた履物を雨や雪、日差しから保護しながらも、扉を開けるときに履物用庇が邪魔ならず、履物用庇の他部材との衝突による損傷を防止すること目的とする。【解決手段】勝手口１１を開閉する勝手口用扉１０の下端部に履物用庇２０を取り付けて、この履物用庇２０を、扉１０の勝手口閉塞時に扉１０から屋外側へ張り出して勝手口１１の屋外側に置かれた履物１６を覆う使用姿勢と、扉１０の勝手口開放時に扉１０に沿うように跳ね上がる回避姿勢との間で切換可能とする。【選択図】図１
2008144411.tif 000002
【特許請求の範囲】
【請求項１】
建物出入口（１１）を開閉する扉（１０）の下端部に履物用庇（２０）を取り付けて、この履物用庇（２０）を、前記扉（１０）の出入口閉塞時に前記扉（１０）から屋外側へ張り出して前記出入口（１１）の屋外側に置かれた履物（１６）を覆う使用姿勢と、前記扉（１０）の出入口開放時に前記扉（１０）に沿うように跳ね上がる回避姿勢との間で切換可能としたことを特徴とする扉の履物用庇構造。
【請求項２】
前記扉（１０）の内部に、前記履物用庇（２０）の姿勢を切り換えるための切換機構（３０）を組み込むようにした請求項１記載の扉の履物用庇構造。
【請求項３】
前記履物用庇（２０）は、前記扉（１０）の下端部に横軸（２５）（２５）周りに回転自在に支持され、前記切換機構（３０）は、前記扉（１０）に出没自在に取り付けられて、前記扉（１０）の出入口閉塞時に扉枠（１２）に当接して扉（１０）内部に格納され、前記扉（１０）の出入口開放時にバネ（３５）（３５）の付勢力によって扉（１０）外部に突出する突起部材（３２）（３２）と、この突起部材（３２）（３２）の出没動作に連動して、前記突起部材（３２）（３２）の格納時に前記履物用庇（２０）を使用姿勢とするとともに、前記突起部材（３２）（３２）の突出時に前記履物用庇（２０）を回避姿勢とするように、前記履物用庇（２０）を横軸（２５）（２５）周りに回転させるリンク部材（３３）（３３）とを備えている請求項２記載の扉の履物用庇構造。
【請求項４】
前記扉（１０）は、建物の勝手口（１１）を開閉する勝手口用扉である請求項１乃至３のいずれかに記載の扉の履物用庇構造。
【発明の詳細な説明】
【技術分野】
【０００１】
この発明は、勝手口等の建物出入口を開閉する扉に履物用庇を備え付けて、出入口の屋外側に脱ぎ置きした履物を雨や雪、日差し等から保護するようにした扉の履物用庇構造に関する。
【背景技術】
【０００２】
住宅の勝手口や掃き出し窓等の屋内外を連通する出入口の屋外側には、居住者が屋外へ出るために使用するサンダル等の履物が置かれることが多い。一般に、上記のような出入口には、出入口上部に雨がかりや日差しを防ぐための簡単な庇が設けられているが、このような庇では、出入口の屋外側に置いた履物までを有効に覆うことはできない。
【０００３】
図８は、一般的な住宅１の勝手口付近の様子を示しており、扉２を備え付けた勝手口に庇３が設けられているものの、このような庇３は、勝手口の上側に設置されていて、外壁からの張り出し寸法も短いため、屋外側の土間４上に置かれた履物５は雨や雪、日差しに曝されることになる。このため、履物５が濡れてしまって乾くまで使用困難となったり、劣化し易くなるといった問題があった。
【０００４】
従来において、このような履物の濡れ対策や劣化対策としては、出入口付近に設けた収納箱に履物を収納したり、外壁に履物を立て掛けるといった工夫がなされているが、この場合、履物の着脱に際して、しゃがみ込みを伴う何らかの作業が必要となり、出入口におけるスムーズな出入りの妨げになっていた。
【０００５】
そこで、例えば特許文献１にも開示されているように、勝手口等の出入口を開閉する扉の下端部に履物用庇を取り付けて、この履物用庇によって出入口の屋外側に置いた履物を覆うようにしたものが提案されている。この場合、出入口を通って屋内から屋外へ出るときには、扉を開けるだけで履物用庇が扉とともに移動して、出入口の屋外側に置いた履物が露出するので、そのまま履物を履くことができる。また、出入口を通って屋外から屋内へ入るときには、扉を開けて出入口の屋外側に履物を脱ぎ置いておけば、扉を閉めるだけで履物用庇が扉とともに移動して、履物が履物用庇によって覆われる。従って、履物の着脱に際してしゃがみ込みを伴うことなく、出入口における出入りをスムーズに行うことができる。
【０００６】
【特許文献１】特開２００４−８１４６９号公報
【発明の開示】
【発明が解決しようとする課題】
【０００７】
しかしながら、扉の下端部に履物用庇を取り付けると、扉から履物用庇が屋外側に大きく張り出した状態となるので、扉を開けるときに履物用庇が邪魔になって出入口を十分に開放することができなかったり、履物用庇が他部材と衝突して損傷するといった不具合があった。なお、特許文献１の図４には、他部材との衝突時に跳ね上がる履物用庇が開示されているが、この場合でも、衝突を繰り返すことで履物用庇が損傷してしまうといった問題がある。
【０００８】
そこで、この発明は、上記不具合を解消するため、建物出入口を開閉する扉に取り付けた履物用庇によって、出入口の屋外側に置いた履物を雨や雪、日差し等から保護しながらも、扉を開けるときに履物用庇が邪魔ならず、履物用庇の他部材との衝突による損傷を防止することができる扉の履物用庇構造の提供を目的とする。
【課題を解決するための手段】
【０００９】
上記課題を解決するため、この発明の扉の履物用庇構造は、建物出入口１１を開閉する扉１０の下端部に履物用庇２０を取り付けて、この履物用庇２０を、前記扉１０の出入口閉塞時に前記扉１０から屋外側へ張り出して前記出入口１１の屋外側に置かれた履物１６を覆う使用姿勢と、前記扉１０の出入口開放時に前記扉１０に沿うように跳ね上がる回避姿勢との間で切換可能としたことを特徴とする。
【００１０】
具体的に、前記扉１０の内部に、前記履物用庇２０の姿勢を切り換えるための切換機構３０を組み込むようにしている。そして、前記履物用庇２０は、前記扉１０の下端部に横軸２５、２５周りに回転自在に支持され、前記切換機構３０は、前記扉１０に出没自在に取り付けられて、前記扉１０の出入口閉塞時に扉枠１２に当接して扉１０内部に格納され、前記扉１０の出入口開放時にバネ３５の付勢力によって扉１０外部に突出する突起部材３２、３２と、この突起部材３２、３２の出没動作に連動して、前記突起部材３２、３２の格納時に前記履物用庇２０を使用姿勢とするとともに、前記突起部材３２、３２の突出時に前記履物用庇２０を回避姿勢とするように、前記履物用庇２０を横軸２５、２５周りに回転させるリンク部材３３、３３とを備えている。また、前記扉１０は、建物の勝手口１１を開閉する勝手口用扉である。
【発明の効果】
【００１１】
この発明によると、扉の出入口閉塞時には、扉の下端部に取り付けた履物用庇が使用姿勢となって出入口の屋外側に置かれた履物を覆うので、雨や雪、日差し等から履物を保護することができる。しかも、扉の出入口開放時には、履物用庇が回避姿勢となって扉の下端部からの張り出し量を抑えることができるので、履物用庇が邪魔にならず、出入口を十分に開放することができ、また履物用庇が他部材と衝突して損傷するといった不具合も防止することができる。
【００１２】
さらに、扉の内部に切換機構を組み込むようにすれば、扉の外観をシンプルにして、見栄えを良好にすることができる。さらにまた、切換機構を、突起部材及びリンク部材からなる簡単な構造とすることで、製造コストを安価に抑えることができる。
【発明を実施するための最良の形態】
【００１３】
以下、この発明の実施形態を図面に基づいて詳細に説明する。図１及び図２は、この発明の一実施形態に係る扉の履物用庇構造を示している。図において、１０は、住宅の出入口としての勝手口１１を開閉する勝手口用扉である。勝手口１１には、方形状の扉枠１２が嵌め込まれており、この扉枠１２における一方の縦枠材１３に、扉１０がヒンジ１４を介して縦軸周りに回転自在に取り付けられている。
【００１４】
そして、勝手口１１の屋外側には、土間１５が配されている。この土間１５の上面は、扉１０の下端部よりも下方に位置している。すなわち、勝手口１１から一段下がって土間１５の上面が配されている。この土間１５の上面には、居住者が屋外へ出るために使用するサンダル等の履物１６が置かれている。
【００１５】
２０は、扉１０の下端部屋外側に取り付けられた履物用庇である。この履物用庇２０は、扉１０の下端部から外方へ向かって斜め下方へ傾斜した天面板部２１と、この天面板部２１の先端から垂下した正面板部２２と、天面板部２１の両側端から垂下した一対の側面板部２３、２３とを備え、下面及び背面が開放した略箱形に形成されている。履物用庇２０の内部空間は、土間１５の上面に置かれた履物１６を余裕を持って収容することが可能な大きさとなっている。なお、土間１５の上面に履物１６を置く位置を表示して、その表示位置に履物１６を置くようにすることで、履物用庇２０の大きさを抑えるようにしても良い。
【００１６】
そして、履物用庇２０の両側面板部２３、２３の上端から立ち上がった取付板部２４、２４が、扉１０の屋外側の面に形成したスリット２６、２６を貫通して、扉１０の内部へ差し入れられている。取付板部２４、２４には、図３に示すように、横軸２５、２５が突設されており、この横軸２５、２５が扉１０の内部に設けた図示しない軸受けに回転自在に支持されている。すなわち、履物用庇２０は、その上端部が扉１０の下端部に横軸２５、２５周りに回転自在に支持されている。
【００１７】
このようにして構成された履物用庇２０は、扉１０の勝手口閉塞時に扉１０から屋外側へ張り出して土間１５の上面に置かれた履物１６を覆う使用姿勢(図１参照)と、扉１０の勝手口開放時に扉１０に沿うように跳ね上がる回避姿勢(図２参照)との間で切換可能となっている。
【００１８】
履物用庇２０の姿勢を切り換えるための切換機構３０は、扉１０の内部に組み込まれている。この切換機構３０は、図３乃至６に示すように、扉１０に出没自在に取り付けられた一対の突起部材３２、３２と、これら突起部材３２、３２と履物用庇２０の取付板部２４、２４とを連結する一対のリンク部材３３、３３とを備えている。
【００１９】
突起部材３２は、扉１０の屋内側の面に形成した挿通孔３４に横向きに挿通されて、扉１０の内部に固定した固定部材３６と突起部材３２との間に介装したバネ３５によって、屋内方向へ付勢されている。
【００２０】
リンク部材３３は、扉１０の内部に回転自在に取り付けられたＬ型のアーム体４０と、扉１０の内部に上下動自在に取り付けられたスライド体４１とを備えている。アーム体４０は、そのコーナー部に横軸４２が突設されており、この横軸４２が扉１０の内部に設けた図示しない軸受けに回転自在に支持されている。また、アーム体４０の一端部及び他端部には、横向きのピン４３、４４が夫々突設されており、一端部のピン４３が突起部材３２に形成された縦向きの長孔４５に移動自在に挿通され、他端部のピン４４がスライド体４１の上端部に形成された横向きの長孔４６に移動自在に挿通されている。スライド体４１の下端部には、横向きの長孔４７が形成されており、この長孔４７に履物用庇２０の取付板部２４、２４に突設した横向きのピン４８が移動自在に挿通されている。
【００２１】
次に、履物用庇２０の姿勢切り換え動作について説明すると、まず扉１０の勝手口閉塞時には、図４に示すように、突起部材３２、３２が扉枠１２の縦枠材１３、１３に当接してバネ３５、３５の付勢力に抗して扉１０の内部に格納されている。このとき、突起部材３２、３２にリンク部材３３、３３を介して連結された履物用庇２０は、使用姿勢となっている。
【００２２】
この状態から扉１０を開け始めると、図５に示すように、扉１０が扉枠１２から離間するに従って、突起部材３２、３２がバネ３５、３５の付勢力によって扉１０の外部に徐々突出する。すると、この突起部材３２、３２の移動に連動して、リンク部材３３、３３が履物用庇２０を横軸２５、２５周りに回転させて、履物用庇２０が跳ね上がりを開始する。すなわち、突起部材３２、３２が屋内方向へ移動して突出すると、アーム体４０、４０の一端部のピン４３、４３が屋内方向へ押されて、アーム体４０、４０が横軸４２、４２を中心として反時計周りに回転する。これに伴って、アーム体４０、４０の他端部のピン４４、４４がスライド体４１、４１を下方へ押し込み、このスライド体４１、４１の下方への移動により履物用庇２０の取付板部２４、２４のピン４８、４８が下方へ押し込まれて、履物用庇２０が横軸２５、２５を中心として時計回りに回転して、履物用庇２０が跳ね上がりを開始するようになっている。
【００２３】
扉１０を開け進めて、突起部材３２、３２が扉枠１２の縦枠材１３、１３から完全に離間すると、上記の履物用庇２０の跳ね上がり動作がさらに進んで、図６に示すように、履物用庇２０が回避姿勢となる。
【００２４】
扉１０を閉めると、上記の履物用庇２０の跳ね上がり動作とは逆に切換機構３０が作動し、突起部材３２、３２が扉枠１２の縦枠材１３、１３に当接してバネ３５、３５の付勢力に抗して扉１０の内部に格納されることで、履物用庇２０が使用姿勢に切り換わる。
【００２５】
このように、切換機構３０は、扉１０による勝手口１１の開閉に伴って突起部材３２、３２を出没させて、この突起部材３２、３２の出没動作に連動して、リンク部材３３、３３によって履物用庇２０を横軸２５、２５周りに回転させることで、履物用庇２０を使用姿勢と回避姿勢と間で切り換えるようになっている。なお、扉１０の厚みが薄くて、切換機構３０の組み込み困難な場合には、図７に示すように、扉１０の下端部屋外側に収容ケース５０を設けて、この収容ケース５０の内部空間と扉１０の内部空間とを連通させて、この連通空間内に切換機構３０を組み込むようにしても良い。
【００２６】
上記のような扉１０を備え付けた勝手口１１においては、次のような利点がある。すなわち、勝手口１１を通って屋内から屋外へ出るときには、扉１０を開けると、土間１５上面に置いてある履物１６を覆っていた履物用庇２０が扉１０とともに移動して、履物１６が露出するので、そのまま履物１６を履いて屋外へ出ることができる。このとき、履物用庇２０は、使用姿勢から回避姿勢に切り換わって、先端部分(正面板部２２)が上を向くように扉１０に沿って跳ね上がり、扉１０の下端部からの張り出し量が小さくなる。これにより、履物用庇２０が邪魔にならず、勝手口１１を十分に開放することができ、また履物用庇２０が他部材と衝突して損傷するといった不具合も防止することができる。
【００２７】
勝手口１１を通って屋外から屋内へ入るときには、扉１０を開けて土間１５の上面の所定位置に履物１６を脱ぎ置いておけば、扉１０を閉めるだけで履物用庇２０が扉１０とともに移動しながら回避姿勢から使用姿勢に切り換わって、履物１６が履物用庇２０によって覆われる。これにより、雨や雪、日差し等から履物１６を保護することができる。
【００２８】
このように、扉１０の下端部に履物用庇２０を取り付けて履物１６を雨や雪、日差し等から保護しながらも、扉１０の開閉に支障きたすことなく、しかも履物１６の着脱に際してしゃがみ込み等の面倒な動作を伴うことなく、勝手口１１における出入りをスムーズに行うことができる。
【００２９】
この発明は、上記実施形態に限定されるものではなく、この発明の範囲内で上記実施形態に多くの修正及び変更を加え得ることは勿論である。例えば、上記実施形態においては、勝手口を開閉する扉に履物用庇を備え付けた例を示したが、勝手口以外の出入口を開閉する扉に履物用庇を備え付けるようにしても良い。また、履物用庇の姿勢を切り換える切換機構としては、必ずしも上記のような突起部材とリンク部材とを備えたものである必要はなく、例えばセンサによって扉の開閉を検知して、駆動モータの駆動力によって履物用庇を回転させる構造のものであっても良い。
【図面の簡単な説明】
【００３０】
【図１】この発明の一実施形態に係る履物用庇の使用姿勢を示す斜視図である。
【図２】同じくその履物用庇の回避姿勢を示す斜視図である。
【図３】切換機構を示す斜視図である。
【図４】扉の勝手口閉塞時の状態を示す縦断面図である。
【図５】扉を僅かに開けたときの状態を示す縦断面図である。
【図６】扉の勝手口開放時の状態を示す縦断面図である。
【図７】扉の下端部屋外側に収容ケースを取り付けた状態を示す斜視図である。
【図８】従来の勝手口付近を示す図である。
【符号の説明】
【００３１】
１０・・扉、１１・・出入口(勝手口)、１２・・扉枠、１６・・履物、２０・・履物用庇、２５・・横軸、３０・・切換機構、３２・・突起部材、３３・・リンク部材、３５・・バネ
【図１】
2008144411.tif 000003
【図２】
2008144411.tif 000004
【図３】
2008144411.tif 000005
【図４】
2008144411.tif 000006
【図５】
2008144411.tif 000007
【図６】
2008144411.tif 000008
【図７】
2008144411.tif 000009
【図８】
2008144411.tif 000010